(57)【要約】【課題】コンテンツ送信要求に応じてコンテンツが同時に複数の無線通信装置に向けて配信される場合において、当該コンテンツの配信に用いられる無線リソースをより効率的に利用することができる無線通信装置を提供する。【解決手段】本発明に係る無線通信端末２００Ａは、無線通信部２０１が受信したコンテンツをリアルタイム再生するリアルタイム再生部２０５と、無線通信部２０１が受信したコンテンツを記憶する記憶部２１１と、コンテンツの全体が記憶部２１１に記憶された場合、通信チャネルを開放する制御部２０３とを備える。【選択図】図２
2007201941.tif 000002
【特許請求の範囲】
【請求項１】
無線基地局が、コンテンツ送信要求に応じて、通信チャネルを介して同時に複数の配信先に向けて送信するコンテンツを受信するコンテンツ受信部を備える無線通信装置であって、
前記コンテンツ受信部が受信した前記コンテンツをリアルタイム再生するリアルタイム再生部と、
前記コンテンツ受信部が受信した前記コンテンツを記憶するコンテンツ記憶部と、
前記コンテンツの全体が前記コンテンツ記憶部に記憶された場合、前記通信チャネルを開放するチャネル制御部と
を備える無線通信装置。
【請求項２】
前記コンテンツ記憶部に記憶された前記コンテンツを再生する非リアルタイム再生部と、
前記コンテンツの全体が前記コンテンツ記憶部に記憶された場合、前記リアルタイム再生部による前記コンテンツの再生から、前記非リアルタイム再生部による前記コンテンツの再生に切り替えるコンテンツ制御部と
をさらに備える請求項１に記載の無線通信装置。
【請求項３】
前記コンテンツ制御部は、前記リアルタイム再生部によって再生される前記コンテンツの再生位置を検出し、前記再生位置に応じた前記非リアルタイム再生部による前記コンテンツの再生に切り替える請求項２に記載の無線通信装置。
【請求項４】
前記コンテンツは、複数の単位コンテンツに分割されており、
前記コンテンツ制御部は、前記コンテンツ受信部が受信した前記コンテンツに伝送エラーが含まれている場合、前記伝送エラーが含まれる前記単位コンテンツの再送を要求する請求項１に記載の無線通信装置。
【請求項５】
前記コンテンツの再生を停止する停止要求を受け付ける再生停止要求受付部をさらに備え、
前記コンテンツ制御部は、前記再生停止要求受付部が前記停止要求を受け付けたときに、前記コンテンツの全体が前記コンテンツ記憶部に記憶されていない場合、前記コンテンツの全体が前記コンテンツ記憶部に記憶されるまで、前記コンテンツ受信部が受信した前記コンテンツの前記コンテンツ記憶部への記憶を継続する請求項２に記載の無線通信装置。
【請求項６】
前記無線基地局から、前記無線基地局と異なる他無線基地局にハンドオフする可能性があることを検出するハンドオフ検出部と、
前記ハンドオフ検出部によって前記可能性が検出された場合、前記コンテンツ受信部による前記コンテンツの受信ができなくなる可能性があることを報知する報知部と
をさらに備える請求項１に記載の無線通信装置。
【発明の詳細な説明】
【技術分野】
【０００１】
本発明は、通信チャネルを介して同時に複数の配信先に向けて無線基地局から送信されるコンテンツを受信する無線通信装置に関する。
【背景技術】
【０００２】
符号分割多元接続（ＣＤＭＡ）を用いた移動体通信システムでは、高速なデータ通信機能、例えば、1xEV-DO（1x evolution - data only）を用いた様々な通信サービスが提供されている。
【０００３】
また、近年では、1xEV-DOが用いられる移動体通信システムにおいて、動画像などによって構成されるコンテンツを、通信チャネル（例えば、トラフィックチャネル）を用いて同時に複数の無線通信装置（例えば、無線通信端末や、カーナビゲーションシステムに接続される無線通信カードモジュールなど）に向けて送信するＢＣＭＣＳ（broadcast/multicast services）も提供されている（例えば、非特許文献１）。
【非特許文献１】“CDMA2000 High Rate Broadcast-Multicast Packet Data Air Interface Specification (C.S0054-0 Version 1.0) - Section 1.4: Broadcast Channels”、３ＧＰＰ２、２００４年２月
【発明の開示】
【発明が解決しようとする課題】
【０００４】
ＢＣＭＣＳでは、無線通信装置からのコンテンツ送信要求に応じて、要求されたコンテンツが、通信チャネルを用いて無線基地局から送信される。
【０００５】
ここで、当該通信チャネルを用いて送信されるコンテンツを視聴（再生）する無線通信装置が存在し続ける限り、当該コンテンツは、繰り返し送信される。つまり、無線通信装置は、既に当該コンテンツの全体を受信しているか否かにかかわらず、無線通信装置のユーザが当該コンテンツの視聴を続ける限り、当該コンテンツを無線基地局から繰り返し送信させる。
【０００６】
このため、通信チャネルなどの無線リソースが開放されにくく、無線リソースの利用効率が向上しないといった問題があった。
【０００７】
そこで、本発明は、このような状況に鑑みてなされたものであり、コンテンツ送信要求に応じてコンテンツが同時に複数の無線通信装置に向けて配信される場合において、当該コンテンツの配信に用いられる無線リソースをより効率的に利用することができる無線通信装置を提供することを目的とする。
【課題を解決するための手段】
【０００８】
上述した問題を解決するため、本発明は、次のような特徴を有している。まず、本発明の第１の特徴は、無線基地局（例えば、無線基地局１１０Ａ）が、コンテンツ送信要求に応じて、通信チャネル（トラフィックチャネルＴＣＨ）を介して同時に複数の配信先に向けて送信するコンテンツ（コンテンツＣｒｔ）を受信するコンテンツ受信部（無線通信部２０１）を備える無線通信装置（無線通信端末２００Ａ）であって、前記コンテンツ受信部が受信した前記コンテンツをリアルタイム再生するリアルタイム再生部（リアルタイム再生部２０５）と、前記コンテンツ受信部が受信した前記コンテンツを記憶するコンテンツ記憶部（記憶部２１１）と、前記コンテンツの全体が前記コンテンツ記憶部に記憶された場合、前記通信チャネルを開放するチャネル制御部（制御部２０３）とを備える無線通信装置（例えば、無線通信端末２００Ａ）であることを要旨とする。
【０００９】
このような無線通信装置によれば、コンテンツの全体がコンテンツ記憶部に記憶された場合、通信チャネルが開放される。
【００１０】
つまり、通信チャネルなどの無線リソースが速やかに開放されるため、無線リソースをより効率的に利用することができる。例えば、通信チャネルが開放されれば、コンテンツの配信に限らず、一般の音声通話など提供可能な無線リソースをより多く確保することができる。
【００１１】
本発明の第２の特徴は、本発明の第１の特徴に係り、前記コンテンツ記憶部に記憶された前記コンテンツを再生する非リアルタイム再生部（非リアルタイム再生部２０７）と、前記コンテンツの全体が前記コンテンツ記憶部に記憶された場合、前記リアルタイム再生部による前記コンテンツの再生から、前記非リアルタイム再生部による前記コンテンツ（コンテンツＣｍ）の再生に切り替えるコンテンツ制御部（制御部２０３）とをさらに備えることを要旨とする。
【００１２】
本発明の第３の特徴は、本発明の第２の特徴に係り、前記コンテンツ制御部は、前記リアルタイム再生部によって再生される前記コンテンツの再生位置を検出し、前記再生位置に応じた前記非リアルタイム再生部による前記コンテンツの再生に切り替えることを要旨とする。
【００１３】
本発明の第４の特徴は、本発明の第１の特徴に係り、前記コンテンツは、複数の単位コンテンツ（単位コンテンツＵ）に分割されており、前記コンテンツ制御部は、前記コンテンツ受信部が受信した前記コンテンツに伝送エラーが含まれている場合、前記伝送エラーが含まれる前記単位コンテンツの再送を要求することを要旨とする。
【００１４】
本発明の第５の特徴は、本発明の第２の特徴に係り、前記コンテンツの再生を停止する停止要求を受け付ける再生停止要求受付部（操作部２１３）をさらに備え、前記コンテンツ制御部は、前記再生停止要求受付部が前記停止要求を受け付けたときに、前記コンテンツの全体が前記コンテンツ記憶部に記憶されていない場合、前記コンテンツの全体が前記コンテンツ記憶部に記憶されるまで、前記コンテンツ受信部が受信した前記コンテンツの前記コンテンツ記憶部への記憶を継続することを要旨とする。
【００１５】
本発明の第６の特徴は、本発明の第１の特徴に係り、前記無線基地局から、前記無線基地局と異なる他無線基地局（例えば、無線基地局１１０Ｂ）にハンドオフする可能性があることを検出するハンドオフ検出部（ハンドオフ処理部２０９）と、前記ハンドオフ検出部によって前記可能性が検出された場合、前記コンテンツ受信部による前記コンテンツの受信ができなくなる可能性があることを報知する報知部（表示部２１５）とをさらに備えることを要旨とする。
【発明の効果】
【００１６】
本発明の特徴によれば、コンテンツ送信要求に応じてコンテンツが同時に複数の無線通信装置に向けて配信される場合において、当該コンテンツの配信に用いられる無線リソースをより効率的に利用することができる無線通信装置を提供することができる。
【発明を実施するための最良の形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
（移動体通信システムの全体概略構成）
図１は、本実施形態に係る無線通信装置を含む移動体通信システム１０の全体概略構成図である。
【００２０】
移動体通信システム１０は、符号分割多元接続（ＣＤＭＡ）を用いた移動体通信システムである。移動体通信システム１０では、無線基地局１１０Ａ，１１０Ｂと、無線通信端末２００Ａ，２００Ｂとの間において、無線通信が実行される。なお、移動体通信システム１０を構成する無線基地局及び無線通信端末の数は、図１に示した数に限定されるものではない。
【００２１】
無線通信端末２００Ａ，２００Ｂ（無線通信装置）は、携帯電話端末である。無線通信端末２００Ａ，２００Ｂは、動画像などによって構成されるコンテンツＣｒｔ（図６参照）を、トラフィックチャネルＴＣＨを介して受信する機能を備える。
【００２２】
具体的には、無線通信端末２００Ａ，２００Ｂは、ＢＣＭＣＳ（broadcast/multicast services）の仕様にしたがい、ブロードキャストやマルチキャストを用いて複数の送信先に向けて同時に送信される同一内容のコンテンツＣｒｔを受信することができる。
【００２３】
具体的には、無線通信端末２００Ａまたは無線通信端末２００Ｂによって送信されたコンテンツ送信要求に応じて、無線基地局１１０Ａ（または１１０Ｂ）は、コンテンツ送信要求に応じたコンテンツを送信する。
【００２４】
無線基地局１１０Ａ（または１１０Ｂ）によって送信されるコンテンツＣｒｔは、コンテンツＣｒｔを視聴（再生）する無線通信端末が存在する限り、送信が繰り返される。
【００２５】
また、本実施形態では、自動車５０に搭載されるカーナビゲーションシステム（不図示）に接続される無線通信カードモジュール２５０も、カーナビゲーションシステムと連携することによって、無線通信端末２００Ａ，２００Ｂと同様の機能を提供することができる。
【００２６】
無線基地局１１０Ａ、ＢＣＭＣＳコントローラ１２０及びコンテンツサーバ１３０は、通信ネットワーク１００によって接続される。
【００２７】
ＢＣＭＣＳコントローラ１２０は、コンテンツサーバ１３０に格納されているコンテンツの無線通信端末２００Ａ，２００Ｂ及び無線通信カードモジュール２５０への送信を制御する。具体的には、ＢＣＭＣＳコントローラ１２０は、コンテンツごとの送信時刻や、ＢＣＭＣＳによる当該コンテンツの送信経路の制御などを実行する。
【００２８】
（無線通信装置の論理ブロック構成）
図２は、本実施形態に係る無線通信装置を構成する無線通信端末２００Ａの機能ブロック構成図である。
【００２９】
図２に示すように、無線通信端末２００Ａは、無線通信部２０１、制御部２０３、リアルタイム再生部２０５、非リアルタイム再生部２０７、ハンドオフ処理部２０９、記憶部２１１、操作部２１３及び表示部２１５を備える。
【００３０】
無線通信端末２００Ｂも無線通信端末２００Ａと同様の機能ブロック構成を有する。また、無線通信カードモジュール２５０（図１参照）は、操作部２１３及び表示部２１５を備えていないが、当該機能は、自動車５０に搭載されるカーナビゲーションシステム（不図示）によって提供される。
【００３１】
また、以下、本発明との関連がある部分について主に説明する。したがって、無線通信端末２００Ａは、無線通信端末２００Ａとしての機能を実現する上で必須な、図示しない或いは説明を省略した論理ブロック（電源部など）を備える場合があることに留意されたい。
【００３２】
無線通信部２０１は、ＣＤＭＡにしたがった無線信号を送受信する。また、無線通信部２０１は、リアルタイム再生部２０５及び非リアルタイム再生部２０７が受信するベースバンド信号（具体的には、コンテンツデータ）と無線信号との変換を実行する。
【００３３】
特に、本実施形態では、無線通信部２０１は、無線基地局（例えば、無線基地局１１０Ａ）が、トラフィックチャネルＴＣＨ（通信チャネル）を介して同時に複数の配信先に向けて送信したコンテンツＣｒｔ（図６参照）を受信する。本実施形態において、無線通信部２０１は、コンテンツ受信部を構成する。
【００３４】
制御部２０３は、無線通信端末２００Ａの各機能ブロックを制御する。特に、本実施形態では、制御部２０３は、コンテンツＣｒｔの全体が記憶部２１１に記憶された場合、トラフィックチャネルＴＣＨを開放する。本実施形態において、制御部２０３は、チャネル制御部を構成する。
【００３５】
なお、「コンテンツの全体」とは、例えば、ひとつの番組を構成する最初から最後までの動画像データ及びオーディオデータをいう。
【００３６】
制御部２０３は、コンテンツＣｒｔの全体が記憶部２１１に記憶された場合、リアルタイム再生部２０５によるコンテンツＣｒｔの再生から、非リアルタイム再生部２０７によるコンテンツＣｍ（図６参照）の再生に切り替えることができる。本実施形態において、制御部２０３は、コンテンツ制御部を構成する。なお、コンテンツＣｍとは、記憶部２１１に記憶されたコンテンツＣｒｔである。
【００３７】
具体的には、制御部２０３は、リアルタイム再生部２０５によって再生されるコンテンツＣｒｔの再生位置、例えば、番組の最初からの経過時間を検出することができる。制御部２０３は、検出した再生位置に応じた非リアルタイム再生部２０７によるコンテンツＣｍの再生に切り替える。なお、リアルタイム再生部２０５によるコンテンツＣｒｔの再生から、非リアルタイム再生部２０７によるコンテンツＣｍの再生への切替方法については、後述する。
【００３８】
また、本実施形態では、コンテンツＣｒｔは、複数の単位コンテンツＵ（図６参照）に分割されている。
【００３９】
制御部２０３は、無線通信部２０１が受信したコンテンツＣｒｔにエラー（具体的には、伝送エラー）が含まれている場合、エラーが含まれる単位コンテンツＵの再送を要求する。つまり、制御部２０３は、エラーが含まれない単位コンテンツＵについては、再送を要求しない。
【００４０】
さらに、制御部２０３は、操作部２１３がコンテンツＣｒｔの再生を停止する停止要求を受け付けたときに、再生しているコンテンツＣｒｔの全体が記憶部２１１に記憶されていない場合、コンテンツＣｒｔの全体が記憶部２１１に記憶されるまで、無線通信部２０１が受信したコンテンツＣｒｔの記憶部２１１への記憶を継続することができる。
【００４１】
リアルタイム再生部２０５は、無線通信部２０１が受信したコンテンツＣｒｔをリアルタイム再生する。具体的には、リアルタイム再生部２０５は、無線通信部２０１から出力されたコンテンツデータを用いて、コンテンツＣｒｔをリアルタイム再生する。
【００４２】
つまり、リアルタイム再生部２０５は、無線通信部２０１から出力されたコンテンツデータを順次再生し、動画像を表示部２１５に表示させたり、音響信号をスピーカ（不図示）から出力させたりする。なお、“リアルタイム再生”には、無線通信部２０１が受信したコンテンツデータをバッファに一時的に記憶し、当該バッファに記憶されたコンテンツデータを用いて、コンテンツＣｒｔをリアルタイム再生することが含まれる。
【００４３】
非リアルタイム再生部２０７は、記憶部２１１に記憶されたコンテンツＣｍを再生する。具体的には、非リアルタイム再生部２０７は、記憶部２１１に記憶されたコンテンツデータを用いて、コンテンツＣｍを再生する。
【００４４】
ハンドオフ処理部２０９は、無線通信端末２００Ａのハンドオフに関する処理を実行する。特に、本実施形態では、無線通信端末２００Ａが受信しているコンテンツＣｒｔの送信元の無線基地局（例えば、無線基地局１１０Ａ）から、当該無線基地局と異なる他無線基地局（例えば、無線基地局１１０Ｂ）にハンドオフする可能性があることを検出する。本実施形態において、ハンドオフ処理部２０９は、ハンドオフ検出部を構成する。
【００４５】
記憶部２１１は、無線通信部２０１が受信したコンテンツＣｒｔなどを記憶する。本実施形態において、記憶部２１１は、コンテンツ記憶部を構成する。
【００４６】
操作部２１３は、無線通信端末２００Ａのユーザによって操作される各種キー及びバイブレータによって構成される。
【００４７】
特に、本実施形態では、操作部２１３は、コンテンツＣｒｔの再生を停止する停止要求を受け付ける再生停止要求受付部を構成する。
【００４８】
表示部２１５は、小型の表示機によって構成される。表示部２１５は、制御部２０３による制御に基づいて、様々な情報を表示する。
【００４９】
特に、本実施形態では、表示部２１５は、ハンドオフ処理部２０９によって他無線基地局にハンドオフする可能性が検出された場合、無線通信部２０１によるコンテンツＣｒｔの受信ができなくなる可能性があることをユーザに報知することができる。本実施形態において、表示部２１５は、報知部を構成する。
【００５０】
（無線通信装置の動作）
次に、上述した無線通信端末２００Ａの動作について説明する。具体的には、（１）ＢＣＭＣＳによって送信されるコンテンツの受信及び再生動作、（２）コンテンツの受信時にエラーが発生した場合の動作、及び（３）コンテンツの送信元の無線基地局から他無線基地局にハンドオフする可能性がある場合の動作、について説明する。
【００５１】
（１）コンテンツの受信及び再生動作
図３は、無線通信端末２００Ａによるコンテンツの受信及び再生動作フロー図である。図３に示すように、ステップＳ１０において、無線通信端末２００Ａは、ＢＣＭＣＳによるコンテンツを受信する。
【００５２】
具体的には、図６に示すように、無線通信端末２００Ａは、ＢＣＭＣＳによって無線基地局１１０Ａから送信されるコンテンツＣｒｔを受信する。コンテンツＣｒｔは、４つの単位コンテンツＵ（例えば、１分単位）に分割されている。
【００５３】
また、ここでは、無線通信端末２００ＡがコンテンツＣｒｔの受信を開始するタイミングｔ２よりも前に、無線通信端末２００ＢがコンテンツＣｒｔの受信を開始していたものとする。具体的には、無線通信端末２００Ｂは、タイミングｔ１からコンテンツＣｒｔの受信を開始していたものとする。
【００５４】
つまり、無線通信端末２００Ａは、コンテンツＣｒｔを構成する４つの単位コンテンツＵのうち、＃４から受信し、＃１〜＃２〜＃３と順次単位コンテンツＵを受信する。また、コンテンツＣｒｔは、ひとつの番組を構成する動画像データ及びオーディオデータを含み、＃４は、当該番組の最後部分に相当する。
【００５５】
ステップＳ２０において、無線通信端末２００Ａは、受信したコンテンツＣｒｔをリアルタイム再生する。
【００５６】
ステップＳ３０において、無線通信端末２００Ａは、受信したコンテンツＣｒｔを記憶部２１１に記憶する。なお、ステップＳ２０とステップＳ３０との処理は、実際には並行して実行される。
【００５７】
ここで、図６に示すように、記憶部２１１には、コンテンツＣｒｔが＃４〜＃１〜＃２〜＃３と順次記憶される。なお、上述したように、記憶部２１１に記憶されたコンテンツＣｒｔを、コンテンツＣｍという。したがって、コンテンツＣｒｔとコンテンツＣｍとの内容（コンテンツデータ）は、同一である。
【００５８】
ステップＳ４０において、無線通信端末２００Ａは、コンテンツＣｒｔの全体の受信が完了したか否かを判定する。
【００５９】
コンテンツＣｒｔの全体の受信が完了した場合（ステップＳ４０のＹＥＳ）、ステップＳ５０において、無線通信端末２００Ａは、コンテンツＣｒｔの再生を継続するか否かを判定する。
【００６０】
具体的には、無線通信端末２００Ａは、無線通信端末２００ＡのユーザがコンテンツＣｒｔの再生を停止していないか否かを判定する。
【００６１】
一方、コンテンツＣｒｔの全体の受信が完了していない場合（ステップＳ４０のＮＯ）、無線通信端末２００Ａは、ステップＳ１０からの処理を繰り返す。
【００６２】
コンテンツＣｒｔの再生を継続する場合（ステップＳ５０のＹＥＳ）、ステップＳ６０において、無線通信端末２００Ａは、コンテンツＣｒｔの再生に代えて、記憶部２１１に記憶されているコンテンツＣｍの再生に切り替える。
【００６３】
具体的には、図６に示すように、無線通信端末２００Ａは、タイミングｔ３において、コンテンツＣｒｔの全体の受信が完了したと判定する。
【００６４】
さらに、無線通信端末２００Ａは、タイミングｔ３において、ユーザがコンテンツＣｒｔの再生を停止していない場合、コンテンツＣｒｔのリアルタイム再生から、コンテンツＣｍの再生に切り替える。
【００６５】
ここで、タイミングｔ３は、＃３の単位コンテンツＵの再生が終了したタイミングであるため、無線通信端末２００Ａは、＃４の単位コンテンツＵの最初からコンテンツＣｍの再生に切り替える。
【００６６】
つまり、無線通信端末２００Ａは、コンテンツＣｒｔの再生位置（＃３の単位コンテンツＵの再生が終了）を検出し、検出した再生位置に応じたコンテンツＣｍの再生に切り替える。このため、ユーザは、コンテンツＣｒｔのリアルタイム再生から、コンテンツＣｍの再生に切り替わったことを認識することがない。
【００６７】
ステップＳ７０において、無線通信端末２００Ａは、記憶部２１１に記憶されているコンテンツＣｍを再生する。なお、図６に示すように、無線通信端末２００Ａは、ユーザによってコンテンツＣｍの再生が停止される時点（タイミングｔ４）まで、以降記憶部２１１に記憶されているコンテンツＣｍを再生する。
【００６８】
ステップＳ８０において、無線通信端末２００Ａは、コンテンツＣｒｔの受信に用いたトラフィックチャネルＴＣＨ（図１参照）を開放する。なお、無線通信端末２００Ａは、ユーザによるコンテンツＣｍの再生が停止された場合には、記憶部２１１からコンテンツＣｍを削除するようにしてもよい。このとき、無線通信端末２００Ａは、コンテンツＣｍを削除するか否かをユーザに選択させることもできる。
【００６９】
また、図６に示すタイミングｔ２〜タイミングｔ３の間において、ユーザによるコンテンツＣｒｔの再生が停止された場合、無線通信端末２００Ａは、トラフィックチャネルＴＣＨを開放することなく、コンテンツＣｒｔの全体が記憶部２１１に記憶される（タイミングｔ３）まで、コンテンツＣｒｔの受信を継続することもできる。
【００７０】
このとき、無線通信端末２００Ａは、コンテンツＣｒｔの受信を継続するか否かをユーザに選択させることもできる。ユーザがコンテンツＣｒｔの受信を継続しないことを選択した場合、無線通信端末２００Ａは、さらに、記憶部２１１に記憶されたコンテンツＣｍを保存するか否かを選択させる。
【００７１】
ユーザがコンテンツＣｍを保存しないことを選択した場合、無線通信端末２００Ａは、コンテンツＣｍを記憶部２１１から削除する。
【００７２】
（２）コンテンツの受信時にエラーが発生した場合の動作
図４は、コンテンツの受信時にエラー（具体的には、伝送エラー）が発生した場合における無線通信端末２００Ａの動作フロー図である。図４に示すように、ステップＳ１１０において、無線通信端末２００Ａは、受信したコンテンツＣｒｔにエラーが発生したか否かを所定の周期で判定する。
【００７３】
コンテンツＣｒｔにエラーが発生した場合（ステップＳ１１０のＹＥＳ）、ステップＳ１２０において、無線通信端末２００Ａは、エラーが発生した箇所（具体的には、どの単位コンテンツＵにおいてエラーが発生したか）を記憶する。
【００７４】
次いで、ステップＳ１３０において、無線通信端末２００Ａは、コンテンツＣｒｔの全体の受信が完了したか否かを判定する。
【００７５】
コンテンツＣｒｔの全体の受信が完了した場合（ステップＳ１３０のＹＥＳ）、ステップＳ１４０において、無線通信端末２００Ａは、コンテンツＣｒｔにエラーが含まれているか否かを判定する。
【００７６】
コンテンツＣｒｔの全体の受信が完了していない場合（ステップＳ１３０のＮＯ）、無線通信端末２００Ａは、ステップＳ１１０からの処理を繰り返す。
【００７７】
コンテンツＣｒｔにエラーが含まれている場合（ステップＳ１４０のＹＥＳ）、ステップＳ１５０において、無線通信端末２００Ａは、コンテンツＣｒｔにエラーが含まれていること、及びエラー部分、具体的にはエラーを含む単位コンテンツＵの再受信の要否を表示する。
【００７８】
ここで、図７（ａ）は、ステップＳ１５０において表示される画面例を示す。図７（ａ）に示すように、ユーザは、当該画面例に基づいて、エラーを含む単位コンテンツＵの再受信の要否を決定する。
【００７９】
一方、コンテンツＣｒｔにエラーが含まれていない場合（ステップＳ１４０のＮＯ）、無線通信端末２００Ａは、処理を終了する。
【００８０】
ステップＳ１６０において、無線通信端末２００Ａは、ユーザによるエラー部分の再受信の要求があったか否かを判定する。
【００８１】
エラー部分の再受信の要求があった場合（ステップＳ１６０のＹＥＳ）、ステップＳ１７０において、無線通信端末２００Ａは、当該エラーを含む単位コンテンツＵを再受信する。さらに、無線通信端末２００Ａは、再受信した部分（単位コンテンツＵ）を記憶部２１１に記憶する。
【００８２】
一方、エラー部分の再受信の要求がない場合（ステップＳ１６０のＮＯ）、無線通信端末２００Ａは、処理を終了する。
【００８３】
（３）他無線基地局にハンドオフする可能性がある場合の動作
図５は、他無線基地局にハンドオフする可能性がある場合における無線通信端末２００Ａの動作フロー図である。図５に示すように、ステップＳ２１０において、無線通信端末２００Ａは、ＢＣＭＣＳによるコンテンツＣｒｔを受信する。
【００８４】
ステップＳ２２０において、無線通信端末２００Ａは、コンテンツＣｒｔを送信する無線基地局１１０Ａからの無線信号の受信信号強度（ＲＳＳＩ）が所定の閾値以下か否か判定する。
【００８５】
ＲＳＳＩが所定の閾値以下の場合（ステップＳ２２０のＹＥＳ）、ステップＳ２３０において、無線通信端末２００Ａは、無線基地局１１０Ａから他無線基地局（例えば、無線基地局１１０Ｂ）にハンドオフする可能性があると判定する。
【００８６】
無線通信端末２００Ａは、無線基地局１１０Ｂにハンドオフする可能性があると判定すると、ユーザに移動の中止を促す警告を表示する。
【００８７】
ここで、図７（ｂ）は、ステップＳ２３０において表示される画面例を示す。図７（ｂ）に示すように、ユーザは、当該画面例に基づいて、ハンドオフする可能性があること、及び当該ハンドオフによってコンテンツＣｒｔの受信が継続できなくなることを認識する。
【００８８】
次いで、ステップＳ２４０において、無線通信端末２００Ａは、コンテンツＣｒｔの全体の受信が完了したか否かを判定する。
【００８９】
コンテンツＣｒｔの全体の受信が完了した場合（ステップＳ２４０のＹＥＳ）、無線通信端末２００Ａは、処理を終了する。
【００９０】
一方、コンテンツＣｒｔの全体の受信が完了していない場合（ステップＳ２４０のＮＯ）、無線通信端末２００Ａは、ステップＳ２１０からの処理を繰り返す。
【００９１】
（作用・効果）
本実施形態に係る無線通信端末２００Ａによれば、コンテンツＣｒｔの全体が記憶部２１１に記憶された場合、トラフィックチャネルＴＣＨが開放される。
【００９２】
つまり、トラフィックチャネルＴＣＨなどの無線リソースが速やかに開放されるため、無線リソースをより効率的に利用することができる。例えば、トラフィックチャネルＴＣＨが開放されれば、コンテンツＣｒｔの配信に限らず、一般の音声通話など提供可能な無線リソースをより多く確保することができる。
【００９３】
無線通信端末２００Ａによれば、コンテンツＣｒｔの全体が記憶部２１１に記憶された場合、リアルタイム再生部２０５によるコンテンツＣｒｔの再生から、非リアルタイム再生部２０７によるコンテンツＣｍの再生に切り替えられる。
【００９４】
このため、トラフィックチャネルＴＣＨなどの無線リソースを使用する時間を低減しつつ、ユーザにコンテンツＣｍを視聴させることができる。
【００９５】
また、無線通信端末２００Ａによれば、コンテンツＣｒｔの再生位置（例えば、（＃３の単位コンテンツＵの再生が終了）が検出され、検出した再生位置に応じたコンテンツＣｍの再生にシームレスに切り替えられる。このため、ユーザは、コンテンツＣｒｔのリアルタイム再生から、コンテンツＣｍの再生に切り替わったことを認識することがない。
【００９６】
本実施形態によれば、コンテンツＣｒｔは、複数の単位コンテンツＵに分割されているため、コンテンツＣｒｔの受信時に伝送エラーが発生した場合には、エラー部分を含む単位コンテンツＵのみを再受信することができる。
【００９７】
つまり、無線通信端末２００Ａによれば、エラー部分を含む単位コンテンツＵの再受信後には、トラフィックチャネルＴＣＨなどの無線リソースを開放することができるため、無線リソースをさらに効率的に利用することができる。
【００９８】
無線通信端末２００Ａによれば、ユーザのコンテンツＣｒｔの再生を停止する停止要求を受け付けたときに、コンテンツＣｒｔの全体が記憶部２１１に記憶されていない場合、コンテンツＣｒｔの全体が記憶部２１１に記憶されるまで、無線通信部２０１が受信したコンテンツＣｒｔの記憶部２１１への記憶が継続される。
【００９９】
このため、ユーザが意識することなく、コンテンツＣｒｔの全体を記憶部２１１に記憶させ、コンテンツＣｒｔの全体が記憶部２１１に記憶された後は、無線リソースを用いることなく、ユーザの要求に応じて、記憶部２１１に記憶されたコンテンツＣｍを再生することができる。
【０１００】
無線通信端末２００Ａによれば、コンテンツＣｒｔを送信する無線基地局１１０Ａから他無線基地局にハンドオフする可能性が検出された場合、コンテンツＣｒｔの受信ができなくなる可能性があることがユーザに報知される。
【０１０１】
コンテンツＣｒｔの再生できなくなる可能性があることが予めユーザに報知されると、コンテンツＣｒｔの再生を継続したいユーザは、移動することを中止するため、無線通信端末２００Ａは、より確実にコンテンツＣｒｔを受信することができる。
【０１０２】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０３】
例えば、上述した実施形態では、コンテンツＣｒｔの送信にトラフィックチャネルＴＣＨを用いる形態としたが、コンテンツＣｒｔの送信には、他のチャネル（例えば、配信用のブロードキャストチャネル）を用いてもよい。
【０１０４】
また、上述した実施形態では、表示部２１５に表示される画面によってユーザに情報を提供する形態としたが、バイブレータによる振動、或いは音響信号による情報の提供を、画面表示に代えて、または画面表示と併用してもよい。
【０１０５】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０６】
【図１】本発明の実施形態に係る  移動体通信システムの全体概略構成図である。
【図２】本発明の実施形態に係る無線通信装置の機能ブロック構成図である。
【図３】本発明の実施形態に係る無線通信装置の動作フロー図である。
【図４】本発明の実施形態に係る無線通信装置の動作フロー図である。
【図５】本発明の実施形態に係る無線通信装置の動作フロー図である。
【図６】本発明の実施形態に係る無線通信装置の動作を説明する説明図である。
【図７】本発明の実施形態に係る無線通信装置において表示される画面例を示す図である。
【符号の説明】
【０１０７】
１０…移動体通信システム、５０…自動車、１００…通信ネットワーク、１１０Ａ，１１０Ｂ…無線基地局、１２０…ＢＣＭＣＳコントローラ、１３０…コンテンツサーバ、２００Ａ，２００Ｂ…無線通信端末、２０１…無線通信部、２０３…制御部、２０５…リアルタイム再生部、２０７…非リアルタイム再生部、２０９…ハンドオフ処理部、２１１…記憶部、２１３…操作部、２１５…表示部、２５０…無線通信カードモジュール、Ｃｍ，Ｃｒｔ…コンテンツ、ＴＣＨ…トラフィックチャネル、Ｕ…単位コンテンツ
【図１】
2007201941.tif 000003
【図２】
2007201941.tif 000004
【図３】
2007201941.tif 000005
【図４】
2007201941.tif 000006
【図５】
2007201941.tif 000007
【図６】
2007201941.tif 000008
【図７】
2007201941.tif 000009